(57)【要約】【課題】降車後、操作忘れがあってもユーザが車両から遠ざかっている状況下で、操作忘れの報知を行う車両用報知装置を提供する。【解決手段】車両用報知装置において、車両送受信機および携帯機は、それぞれＲＦ波を用いた車両ＲＦ送受信部１４０、および携帯ＲＦ送受信部１９０を有している。車両送受信機は、ユーザが降車して、ドアをロックするための所定の操作があり、車両機器に対する操作終了のための操作忘れがあると、車両ＲＦ送受信部、および携帯ＲＦ送受信部の間でＲＦ波を用いた無線通信によって、車両とユーザとの距離を把握して、距離が順次大きくなっており、ユーザが車両から遠ざかっていると判定したときに、報知制御を実行する。【選択図】図１
2020006752.tif 000002
【特許請求の範囲】
【請求項１】
車両に搭載される車両送受信機（１００Ａ）と、
前記車両のユーザが携帯する携帯機（１００Ｂ）と、を備え、
前記車両送受信機と前記携帯機との間で無線通信を行い、前記ユーザによる前記車両のドアのロック、アンロックに関する所定の操作があると、前記車両送受信機が、前記携帯機からの応答信号に対する照合を行い、前記照合が成立すると前記ドアのロック、アンロックを行うと共に、前記ユーザが降車して、前記ドアのロックが行われたときに、車両機器に対する操作終了のための操作忘れがあると、前記携帯機に設けられた報知部（１８０）によって前記ユーザに前記操作忘れを報知する報知制御を実行する車両用報知装置において、
前記車両送受信機および前記携帯機は、それぞれＲＦ波を用いた車両ＲＦ送受信部（１４０）、および携帯ＲＦ送受信部（１９０）を有しており、
前記車両送受信機は、
前記ユーザが降車して、前記ドアをロックするための前記所定の操作があり、前記操作忘れがあると、
前記車両ＲＦ送受信部、および前記携帯ＲＦ送受信部の間でＲＦ波を用いた無線通信によって、前記車両と前記ユーザとの距離を把握して、
前記距離が順次大きくなっており、前記ユーザが前記車両から遠ざかっていると判定したときに、前記報知制御を実行する車両用報知装置。
【請求項２】
前記車両送受信機は、
前記ユーザによって前記車両機器が作動状態とされたときから、前記ドアをロックするための前記所定の操作が行われるときまでの時間が、予め定めた所定時間以内であるときは、前記操作忘れに対する前記報知制御をキャンセルする請求項１に記載の車両用報知装置。
【請求項３】
前記所定の操作は、前記携帯機を用いた前記ドアのロックのための遠隔操作であり、
前記車両送受信機は、
前記遠隔操作が行われたときに、前記操作忘れがあり、前記距離が予め定めた所定の距離以上あると、前記報知制御を実行する請求項１または請求項２に記載の車両用報知装置。
【発明の詳細な説明】
【技術分野】
【０００１】
本発明は、車両機器に対する操作忘れを報知する車両用報知装置に関するものである。
【背景技術】
【０００２】
従来の車両用報知装置として、例えば、特許文献１に記載されたものが知られている。特許文献１の車両用報知装置（車両通知装置）は、ユーザが降車するのを前提に、操作忘れ(ヘッドライトの消し忘れ、パワーウィンドウの閉め忘れ等)が有るか否かを検出すると、操作忘れ通知信号をユーザ装置へ送信し、操作忘れがある旨をユーザへ報知するようになっている。
【０００３】
操作忘れを判定するトリガとして、車両用報知装置のスマート携帯機が通信圏内から通信圏外へ移動した場合に、ユーザが車両から離れたものと判断し、車両通知装置は、サービスセンター経由で携帯電話に通知する。もしくは、無線ＬＡＮ網やＤＥＲＣ網でユーザ端末(携帯電話、スマート携帯機)へ直接通知するようになっている。
【先行技術文献】
【特許文献】
【０００４】
【特許文献１】特開２００５−２４０３４９号公報
【発明の概要】
【発明が解決しようとする課題】
【０００５】
しかしながら、通常、呼掛け信号用にＬＦ波を使用するスマートエントリの通信圏内は車両から約１〜３ｍ程度であり、車両近傍にユーザが存在する場合でも、通信圏外に移動すれば、ユーザに消し忘れ通知が入ってしまう。例えば、降車後、ユーザが車両近傍で立ち話をするような状況であっても、通信圏外に出てしまうと、上記のように通知が入り、使用する上で煩わしさを伴う面を有していた。
【０００６】
本発明の目的は、上記問題に鑑み、降車後、操作忘れがあってもユーザが車両から遠ざかっている状況下で、操作忘れの報知を行う車両用報知装置を提供することにある。
【課題を解決するための手段】
【０００７】
本発明は上記目的を達成するために、以下の技術的手段を採用する。
【０００８】
本発明では、車両に搭載される車両送受信機（１００Ａ）と、
車両のユーザが携帯する携帯機（１００Ｂ）と、を備え、
車両送受信機と携帯機との間で無線通信を行い、ユーザによる車両のドアのロック、アンロックに関する所定の操作があると、車両送受信機が、携帯機からの応答信号に対する照合を行い、この照合が成立するとドアのロック、アンロックを行うと共に、ユーザが降車して、ドアのロックが行われたときに、車両機器に対する操作終了のための操作忘れがあると、携帯機に設けられた報知部（１８０）によってユーザに操作忘れを報知する報知制御を実行する車両用報知装置において、
車両送受信機および携帯機は、それぞれＲＦ波を用いた車両ＲＦ送受信部（１４０）、および携帯ＲＦ送受信部（１９０）を有しており、
車両送受信機は、
ユーザが降車して、ドアをロックするための所定の操作があり、車両機器に対する操作終了のための操作忘れがあると、
車両ＲＦ送受信部、および携帯ＲＦ送受信部の間でＲＦ波を用いた無線通信によって、車両とユーザとの距離を把握して、
距離が順次大きくなっており、ユーザが車両から遠ざかっていると判定したときに、報知制御を実行することを特徴としている。
【０００９】
この発明によれば、ＲＦ波を用いた車両ＲＦ送受信部（１４０）、および携帯ＲＦ送受信部（１９０）によって、ＬＦ波を用いた場合よりも、送受信距離（無線通信距離）を長くすることができる。車両送受信機（１００Ａ）は、両ＲＦ送受信部（１４０、１９０）間の無線通信によって得られる車両とユーザとの距離が、順次大きくなっていくことで、ユーザが車両から遠ざかっているかいないかを判定することができ、遠ざかっていることを基にして、操作忘れに対する報知制御を適切に実行することができる。例えば、ユーザが降車して、ドアロックした後に、車両の近くにいるような場合では、報知制御を行うことがないので、ユーザに煩わしさを与えることがない。
【００１０】
尚、上記各手段の括弧内の符号は、後述する実施形態記載の具体的手段との対応関係を示すものである。
【図面の簡単な説明】
【００１１】
【図１】車両用報知装置の全体構成を示すブロック図である。
【図２】第１実施形態のドアロック後におけるユーザの移動の様子を示す説明図である。
【図３】第１実施形態における報知制御の内容を示すフローチャートである。
【図４】第２実施形態の遠隔操作によるドアロック後におけるユーザの移動の様子を示す説明図である。
【図５】第２実施形態における報知制御の内容を示すフローチャートである。
【発明を実施するための形態】
【００１２】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合せることも可能である。
【００１３】
（第１実施形態）
第１実施形態における車両用報知装置１００について、図１〜図３を用いて説明する。第１実施形態の車両用報知装置１００は、車両ドアのキーシリンダーに直接、キーを差し込むことなく、ユーザの所定の操作によって、車両ドアの鍵の施錠（以下、ロック）、および解錠（以下、アンロック）を可能とするシステムとなっている。所定の操作とは、例えば、ロック時においては、ユーザがドアノブに設けられたスイッチ（後述するトリガスイッチ１５２）にタッチする操作、また、アンロック時においては、ユーザがドアノブを握る操作等である。
【００１４】
また、本車両用報知装置１００においては、ユーザの降車後にドアロックされて、所定の車両機器に対する操作終了のための操作忘れがあると、後述する携帯機１００Ｂに設けられた報知部１８０によって、操作忘れに対する報知が行われる（報知制御が行われる）ようになっている。所定の車両機器に対する操作終了のための操作とは、例えば、後述するヘッドランプ１５４、ハザードランプ１５５、およびルームランプ１５６等をオフにする操作、あるいは、車両ドアのウインドウ１５７を閉じる操作等であり、操作忘れとは、各ランプの消し忘れ、あるいはウインドウの閉め忘れ等である。
【００１５】
車両用報知装置１００は、図１、図２に示すように、車両送受信機１００Ａと、携帯機１００Ｂとを備えている。
【００１６】
車両送受信機１００Ａは、発信機１１０、送受信ＩＣ部１２０、照合ＥＣＵ１３０、および車両ＲＦ送受信部１４０等を備えており、後述する各種車両機器（１５１〜１５８）を制御するためのボディＥＣＵ１５０と接続されている。
【００１７】
発信機１１０は、例えば、車室外運転席発信機１１１、車室外助手席発信機１１２、トランク外発信機１１３、車室内フロント発信機１１４、車室内リヤ発信機１１５、およびトランク内発信機１１６等を有している。各発信機１１１〜１１６は、照合ＥＣＵ１３０に接続されている。各発信機１１１〜１１６は、長波としてのＬＦ（ｌｏｗ  Ｆｒｅｑｕｅｎｃｙ）波を用い、無線通信によって、車両外部、あるいは車両内部の携帯機１００Ｂに対して呼掛け信号を送信する送信部となっている。呼掛け信号の送信は、例えば、ポーリング方式によって、行われるようになっている。ポーリング方式とは、外部からのトリガを必要とせず、定期的に（所定の送信間隔で）発信機１１０（各発信機１１１〜１１６）から呼掛け信号を送信し続けるものである。
【００１８】
車室外運転席発信機１１１は、車両の運転席側の前後ドアの例えば、ノブに内蔵されており、運転席側車外に向けてＬＦ波を送信することで、車室外運転席側における携帯機１００Ｂに対する作動検出エリアを形成するようになっている。ＬＦ波による作動検出エリア（ＬＦ波の届く距離）は、例えば１〜３ｍ程度の領域である。尚、以下説明する各発信機１１２〜１１５の作動検出エリアも、車室外運転席発信機１１１と同じである。
【００１９】
車室外助手席発信機１１２は、車両の助手席側の前後ドアの例えば、ノブに内蔵されており、助手席側車外に向けてＬＦ波を送信することで、車室外助手席側における携帯機１００Ｂに対する作動検出エリアを形成するようになっている。
【００２０】
トランク外発信機１１３は、車両の後方のトランクドアの例えば、ノブに内蔵されており、車両後方に向けてＬＦ波を送信することで、車両後方における携帯機１００Ｂに対する作動検出エリアを形成するようになっている。
【００２１】
車室内フロント発信機１１４は、車両内の前席領域に設けられており、前席領域においてＬＦ波を送信することで、車両前席領域における携帯機１００Ｂに対する作動検出エリアを形成するようになっている。
【００２２】
車室内リヤ発信機１１５は、車両内の後席領域に設けられており、後席領域においてＬＦ波を送信することで、車両後席領域における携帯機１００Ｂに対する作動検出エリアを形成するようになっている。
【００２３】
トランク内発信機１１６は、車両のトランク内に設けられており、トランク内においてＬＦ波を送信することで、トランク内における携帯機１００Ｂに対する作動検出エリアを形成するようになっている。
【００２４】
送受信ＩＣ部１２０は、携帯機１００Ｂから送信される高周波としてのＲＦ（Ｒａｄｉｏ  Ｆｒｅｑｕｅｎｃｙ）波による応答信号を、受信アンテナ１２１を介して受信するようになっている。受信アンテナ１２１と、送受信ＩＣ部１２０との間には、必要な範囲の周波数のみを通すバンドパスフィルタ１２２が設けられている。送受信ＩＣ部１２０は、受信した応答信号をＲＦ受信信号として照合ＥＣＵ１３０に出力するようになっている。また、送受信ＩＣ部１２０は、車両ドアがロックされたときに、車両ＲＦ送受信部１４０に対して、携帯ＲＦ送受信部１９０と送受信（無線通信）を行うことを指示するようになっている（詳細後述）。
【００２５】
照合ＥＣＵ（Ｅｌｅｃｔｒｏｎｉｃ  Ｃｏｎｔｒｏｌ  Ｕｎｉｔ）１３０は、発信機１１０に対してＬＦ送信信号の指令を出力し、更に、送受信ＩＣ部１２０が携帯機１００Ｂから応答信号を受信すると、応答信号（ＲＦ受信信号）の照合を行い、照合の結果に基づいて車両ドアのロック、アンロックを行うための指令を、ボディＥＣＵ１５０に出力する制御部となっている。
【００２６】
車両ＲＦ送受信部１４０は、送受信ＩＣ部１２０の指示に基づいて、ＲＦ波の信号（ＲＦ信号）を、携帯機１００Ｂに設けられた携帯ＲＦ送受信部１９０に送信すると共に、携帯ＲＦ送受信部１９０から送信されたＲＦ波を受信する部位となっている。受信されたＲＦ信号は、送受信ＩＣ部１２０に出力されるようになっている。
【００２７】
ボディＥＣＵ１５０は、車両に搭載されている各種車両機器（ボディ機器）と接続されており、各種車両機器の作動を制御する制御部となっている。各種車両機器は、例えば、エンジンをオンオフするためのキースイッチ１５１、車両ドアのロックのためのトリガスイッチ１５２、車両ドアのロック状態、あるいはアンロック状態を形成するドアロックポジションスイッチ１５３、ヘッドランプ１５４、ハザードランプ１５５、ルームランプ１５６、車両ドアのウインドウ１５７、および車両ドアのカーテンの開閉を行うドアカーテンスイッチ１５８等である。
【００２８】
一方、携帯機１００Ｂは、ユーザが携帯する携帯型キーであり、送受信ＩＣ部１６０、制御ＩＣ部１７０、報知部１８０、および携帯ＲＦ送受信部１９０等を備えている。
【００２９】
送受信ＩＣ部１６０は、受信アンテナ１６１、および送信アンテナ１６２を有している。受信アンテナ１６１は、車両送受信機１００Ａの発信機１１０（各発信機１１１〜１１６）から送信される呼掛け信号を受信するアンテナである。送受信ＩＣ部１６０は、受信アンテナ１６１から入力された呼掛け信号に基づいて、照合に必要とされる応答信号（ＲＦ波）を送信アンテナ１６２に出力するＩＣ部となっている。送信アンテナ１６２は、送受信ＩＣ部１６０からの応答信号を車両送受信機１００Ａの受信アンテナ１２１に送信するアンテナである。
【００３０】
制御ＩＣ部１７０は、送受信ＩＣ部１６０と接続されており、車両送受信機１００Ａによって報知制御が実行されるときに、報知部１８０の作動を制御する制御部となっている。
【００３１】
報知部１８０は、車両ドアのロック後に、ユーザの操作忘れ（ランプの消し忘れ等）があった場合に、ユーザに対して、例えば、音や振動によって報知するものである。
【００３２】
携帯ＲＦ送受信部１９０は、車両ＲＦ送受信部１４０から送信されるＲＦ波の信号を受信するようになっている。携帯ＲＦ送受信部１９０で受信されたＲＦ信号は、送受信ＩＣ部１６０に出力される。そして、携帯ＲＦ送受信部１９０は、再び、ＲＦ波の信号を、車両ＲＦ送受信部１４０に送信するようになっている。尚、携帯ＲＦ送受信部１９０と、送受信ＩＣ部１６０との間には、必要な範囲の周波数のみを通すバンドパスフィルタ１９１が設けられている。
【００３３】
車両ＲＦ送受信部１４０と携帯ＲＦ送受信部１９０との間で行われる無線通信によって、車両送受信機１００Ａ（車両）と携帯機１００Ｂ（ユーザ）との距離が把握できるようになっている（詳細後述）。
【００３４】
本実施形態の車両用報知装置１００の構成は以上のようになっており、以下、図３を加えて、作動および作用効果について説明する。尚、本実施形態では、発信機１１０の代表例を、例えば車室外運転席発信機１１１として説明すると共に、ユーザの操作忘れを、ランプの消し忘れとして説明することにする。
【００３５】
本車両用報知装置１００においては、ポーリング方式によって呼掛け信号が、車室外運転席発信機１１１から車両外部に送信される。
【００３６】
車両ドアがロックされている状態で、携帯機１００Ｂを携帯するユーザが車両に近づいて行き、作動検出エリア、即ち、呼掛け信号が携帯機１００Ｂに届く距離（１〜３ｍ程度）に至ると、携帯機１００Ｂの受信アンテナ１６１は、呼掛け信号を受信し、送受信ＩＣ部１６０に出力する。すると、送受信ＩＣ部１６０は、照合用のＩＤ情報等を含む応答信号を送信アンテナ１６２に出力する。応答信号は、送信アンテナ１６２から受信アンテナ１２１に送信される。
【００３７】
すると、送受信ＩＣ部１２０は、受信アンテナ１２１から応答信号を受信し、照合ＥＣＵ１３０にＲＦ受信信号として出力する。照合ＥＣＵ１３０は、ＲＦ受信信号を受信すると、自身が保有している携帯機１００Ｂに関する照合用の情報と、ＲＦ受信信号（応答信号）とを照合する。この照合が成立すると、照合ＥＣＵ１３０は、ボディＥＣＵ１５０に対して、車両ドアのアンロックの指示、およびエンジン始動許可の指示を行う。ボディＥＣＵ１５０は、ユーザが所定操作として、ドアノブを握る操作をすると、ドアロックポジションスイッチ１５３によって、車両ドアのアンロックを行う。これにより、ユーザは乗車することができる。そして、ユーザはキースイッチ１５１をオンすることでエンジンを始動させて、運転することが可能となる。
【００３８】
また、運転後、ユーザがエンジンをオフにして降車した状態で、作動検出エリアで、呼掛け信号に対する応答信号と、照合用の情報との照合が成立すると、照合ＥＣＵ１３０は、ボディＥＣＵ１５０に対して、車両ドアのロックの指示を行う。ボディＥＣＵ１５０は、ユーザが所定操作として、ドアノブのトリガスイッチ１５２をタッチすると、ドアロックポジションスイッチ１５３によって、車両ドアのロックを行う。
【００３９】
尚、各発信機１１４、１１５、１１６からの呼掛け信号に基づいて、携帯機１００Ｂの応答信号が得られると、携帯機１００Ｂが車内やトランクルームに置かれた状態であると判定される。よって、携帯機１００Ｂの閉じ込めを防止するために、この場合は、ユーザが降車して車外でドアロックのための操作をしても、車両ドア、およびトランクドアのロックは禁止されるようになっている。
【００４０】
ここで、ユーザが降車して、車両ドアのロックが行われたときに、ランプ消し忘れ等の操作忘れがあると、携帯機１００Ｂに設けられた報知部１８０によって、ユーザに対して報知する報知制御が実行される。以下、図３を用いて、詳細を説明する。
【００４１】
まず、図３のステップＳ１００で、照合ＥＣＵ１３０は、ドアロックのための操作（ドアノブへのタッチ操作）があるまで待機状態としている。
【００４２】
そして、ステップＳ１１０で、照合ＥＣＵ１３０は、ボディＥＣＵ１５０からドアロックのための操作（タッチ操作によるスマートロック操作）があったか否かを判定する。否と判定するとステップＳ１００に戻り、ステップＳ１００〜ステップＳ１１０を繰り返す。
【００４３】
一方、照合ＥＣＵ１３０は、ステップＳ１１０でドアロックのための操作があったと判定すると、ステップＳ１２０で、ボディＥＣＵ１５０からの情報に基づき、ランプ（ランプ１５４、１５５、１５６等）の消し忘れがあったか否かを判定する。
【００４４】
ランプの消し忘れがあったと判定すると、ステップＳ１３０で、照合ＥＣＵ１３０は、ランプが点灯されてからドアロックされるまでの時間が、予め定めた一定時間（所定時間）以内であるか否かを判定し、否と判定するとステップＳ１４０に移行する。
【００４５】
ステップＳ１４０で、車両送受信機１００Ａと、携帯機１００Ｂとの距離を測定（把握）していく。距離の測定は、車両ＲＦ送受信部１４０と、携帯ＲＦ送受信部１９０間における無線通信に基づいて行われる。車両ＲＦ送受信部１４０と携帯ＲＦ送受信部１９０との間で行われる無線通信では、使用するＲＦ波としては、１つの周波数を使用する場合と、複数の周波数を使用する場合がある。
【００４６】
１つの周波数を使用する場合であると、車両ＲＦ送受信部１４０から送信されるＲＦ波を携帯ＲＦ送受信部１９０が受信し、そのときの電波強度（ＲＳＳＩ）を携帯ＲＦ送受信部１９０から再び車両ＲＦ送受信部１４０に送信する。そして、送受信ＩＣ部１２０にて、電波強度から、車両送受信機１００Ａ（車両）と携帯機１００Ｂ（ユーザ）との距離が把握される。尚、電波強度は、携帯ＲＦ送受信部１９０から送信されたＲＦ波について、車両ＲＦ送受信部１４０側（送受信ＩＣ部１２０）で把握するようにしてもよい。
【００４７】
また、複数の周波数を使用する場合であると、車両ＲＦ送受信部１４０から送信されるＲＦ波を携帯ＲＦ送受信部１９０が受信し、送受信ＩＣ部１６０にて、複数の周波数の差、および位相差を基に距離を把握（算出）し、その結果を携帯ＲＦ送受信部１９０から再び車両ＲＦ送受信部１４０に送信する。
【００４８】
そして、ステップＳ１５０で、照合ＥＣＵ１３０は、測定された距離の時系列的な変化に基づいて、ユーザが車両から遠ざかっているか否かを確認する。つまり、測定された距離が、時間経過と共に順次大きくなっている場合に、照合ＥＣＵ１３０は、ユーザが車両から遠ざかっていると捉えることができる。また、測定された距離が、時間経過と共に変化しない場合は、ユーザは車両から遠ざかっておらず、車両の近くで立ち止まっている（立話等をしている）と捉えることができる。
【００４９】
そして、ステップＳ１６０で、上記の測定距離の変化から、ユーザが車両から遠ざかっていると判定すると、ステップＳ１７０で、照合ＥＣＵ１３０は、ユーザに対するランプの消し忘れの報知を行う。つまり、照合ＥＣＵ１３０は、車両ＲＦ送受信部１４０から携帯ＲＦ送受信部１９０に報知信号を出力する。報知信号は、送受信ＩＣ部１６０から制御ＩＣ部１７０に送られ、制御ＩＣ部１７０は、報知部１８０に対して音や振動を発生させることで、ユーザに対する報知を実施する（報知制御の実行）。尚、ステップＳ１６０で否定判定するとステップＳ１５０〜ステップＳ１６０を繰り返す。
【００５０】
ステップＳ１３０で、照合ＥＣＵ１３０は、肯定判定、つまりランプが点灯されてからドアロックされるまでの時間が、予め定めた一定時間（所定時間）以内であると判定すると、ステップＳ１８０に移行する。
【００５１】
ランプが点灯されてからドアロックされるまでの時間が、予め定めた一定時間（所定時間）以内であるということは、例えば、ちょっとした用事のために、ユーザは、ハザードランプ１５５を点灯させて、意図的にドアロック操作をして、車から離れる場合等の状況であると想定される。
【００５２】
このような場合（ステップＳ１３０で肯定判定）であると、ステップＳ１８０で、照合ＥＣＵ１３０は、ランプ消し忘れに伴う報知をキャンセルする。
【００５３】
以上のように、本実施形態では、ＲＦ波を用いた車両ＲＦ送受信部１４０、および携帯ＲＦ送受信部１９０によって、ＬＦ波を用いた場合よりも、送受信距離（無線通信距離）を長くすることができる。車両送受信機１００Ａ（照合ＥＣＵ１３０）は、両ＲＦ送受信部１４０、１９０間の無線通信によって得られる車両とユーザとの距離が、順次大きくなっていくことで、ユーザが車両から遠ざかっているかいないかを判定することができ、遠ざかっていることを基にして、操作忘れに対する報知制御を適切に実行することができる。例えば、ユーザが降車して、ドアロックした後に、車両の近くにいるような場合では、報知制御を行うことがないので、ユーザに煩わしさを与えることがない。
【００５４】
また、車両送受信機１００Ａ（照合ＥＣＵ１３０）は、ユーザによって例えば、車両機器としてランプが作動状態とされたときから、ドアをロックするための所定の操作が行われるときまでの時間が、予め定めた一定時間以内であるときは、操作忘れに対する報知制御をキャンセルするようにしている。これにより、ユーザがランプを点灯させたまま意図的にドアロックしたような場合には、操作忘れによる報知が行われないので、煩わしさを伴うことがない。
【００５５】
（第２実施形態）
第２実施形態を図４、図５に示す。第２実施形態は、上記第１実施形態に対して、携帯機１００Ｂに遠隔操作ボタンが設けられており、遠隔操作によってドアロックされた場合の操作忘れに対する報知制御の要領を変更したものとしている。
【００５６】
携帯機１００Ｂは、図示しない遠隔操作ボタンを有している。遠隔操作ボタンは、例えば、ロック用ボタン、アンロック用ボタン、およびトランク用ボタン等である。ユーザによって、各ボタンのいずれかの押下操作に伴う入力信号があると、照合ＥＣＵ１３０に対して、各入力信号に応じた要求信号が出力され、照合ＥＣＵ１３０は、ボディＥＣＵ１５０に対して車両ドア、トランクのロック、アンロックの指示を行うようになっている。
【００５７】
図５は、本実施形態における操作忘れに対する報知制御の要領を示すフローチャートである。図５のフローチャートは、上記第１実施形態の図３におけるフローチャートに対して、ステップＳ１１０をステップＳ１１１に、ステップＳ１５０をステップＳ１５１に、ステップＳ１６０をステップＳ１６１〜ステップＳ１６３に変更したものである。
【００５８】
図５のステップＳ１００の後に、ステップＳ１１１で、照合ＥＣＵ１３０は、携帯機１００Ｂにおける遠隔操作ボタン押下によるドアロックのための操作（ワイヤレスロック操作）があったか否かを判定する。否と判定するとステップＳ１００に戻り、ステップＳ１００〜ステップＳ１１０を繰り返す。
【００５９】
そして、ステップＳ１２０〜ステップＳ１４０、ステップＳ１８０を実行した後に、ステップＳ１５１で、照合ＥＣＵ１３０は、遠隔操作によって車両ドアのロック操作が行われたときのユーザの位置（車両からユーザまでの距離）を確認する。
【００６０】
そして、ステップＳ１６１で、照合ＥＣＵ１３０は、上記の測定距離が、予め定めた閾値（所定の距離）以上であるか否かを判定する。ここで、閾値は、ユーザが遠隔操作によって車両ドアをロックした後に、ランプの消し忘れ等の報知を受けても、容易に車両まで引き返すことのできる距離であり、例えば、２０〜２５ｍ程度の距離として設定することができる。
【００６１】
ステップＳ１６１で肯定判定すると、照合ＥＣＵ１３０は、すかさず、ステップＳ１７０で、ユーザに対するランプの消し忘れの報知を行う。
【００６２】
しかしながら、ステップＳ１６１で否定判定（ユーザは閾値より近いと判定）すると、照合ＥＣＵ１３０は、図３におけるステップＳ１５０、およびステップＳ１６０と同様に対応する。つまり、ステップＳ１６２で、照合ＥＣＵ１３０は、ユーザが閾値より近い領域で、車両から遠ざかっているか否かを確認し、ステップＳ１６３で、ユーザが車両から遠ざかっていると判定すると、ステップＳ１７０でランプの消し忘れに対する報知を行う。尚、ステップＳ１６３で否定判定すると、ステップＳ１６２〜ステップＳ１６３を繰り返す。
【００６３】
以上のように、本実施形態では、携帯機１００Ｂの遠隔操作ボタンを使用して、遠隔操作によって、車両ドアのロック操作をしたときに、その時点でのユーザの位置が車両から閾値を超えているときは、ランプの消し忘れ等があれば、その時点で（すかさず）消し忘れの報知が行われるようになっている。よって、ユーザは、すぐに、車両に戻って、操作忘れに対する処置（ランプ消灯等）を行うことができる。
【００６４】
尚、遠隔操作したときのユーザの位置が閾値よりも近い側にいるときは、上記第１実施形態と同様に、ユーザが車両から遠ざかっている状況下で操作忘れに対する報知が行われるので、上記第１実施形態と同様に、操作忘れに対する処置を適切に行うことができる。
【００６５】
（その他の実施形態）
上記各実施形態では、発信機１１０として、車室外運転席発信機１１１を代表例として説明したが、他の発信機１１２〜１１６によっても同様の報知制御が可能である。
【００６６】
また、ユーザの操作忘れとして、各ランプ１５４〜１５６の消し忘れを代表例として、説明したが、これに限定されることなく、車両ドアのウインドウ１５７の閉め忘れに対して報知するものとしてもよい。
【符号の説明】
【００６７】
１００  車両用報知装置
１００Ａ  車両送受信機
１００Ｂ  携帯機
１４０  車両ＦＲ送受信部
１８０  報知部
１９０  携帯ＲＦ送受信部
【図１】
2020006752.tif 000003
【図２】
2020006752.tif 000004
【図３】
2020006752.tif 000005
【図４】
2020006752.tif 000006
【図５】
2020006752.tif 000007